(57)【要約】【課題】  入浴者に対し十分な発汗作用を効果的に及ぼして美容と健康増進に寄与できる温浴装置を提供する。【解決手段】  遠赤外線を発生する石板からなるベッド本体１１と、このベッド本体１１上に開閉可能に取り付けられるドーム２とを備え、前記ベッド本体１１の上面で長さ方向一側にスチーム発生器のノズル５０ａが設けられている。【選択図】      図４
2007007141.tif 000002
【特許請求の範囲】
【請求項１】
遠赤外線を発生する石板からなるベッド本体と、このベッド本体の上に脱着可能に取り付けられるドームとを備え、前記ベッド本体の上面で長さ方向一側にスチーム発生器に接続されたノズルが配置されている温浴装置。
【請求項２】
請求項１において、前記ベッド本体を加熱する防水仕様のヒータが設けられている温浴装置。
【請求項３】
請求項１又は２において、前記スチーム発生器のノズルからハーブスチームが噴き出される温浴装置。
【発明の詳細な説明】
【技術分野】
【０００１】
本発明は、発汗作用を促進させて美容と健康増進に寄与する温浴装置に関するものである。
【背景技術】
【０００２】
この種の温浴装置として、電熱装置を備えたベッドと、その上部を覆うドームとからなり、このドーム内のベッド上に横たわって電熱装置からの熱により発汗作用を促すようにしたものがある（特許文献１参照）。
【特許文献１】特開２００３−２４５３２６号公報
【発明の開示】
【発明が解決しようとする課題】
【０００３】
しかし、従来の温浴装置は、十分な発汗作用が得られるとは言いがたい。
【０００４】
そこで、本発明は、入浴者に対し十分な発汗作用を効果的に及ぼして健康増進に寄与できる温浴装置を提供することを目的としている。
【課題を解決するための手段】
【０００５】
上記目的を達成するために、本発明の温浴装置は、遠赤外線を発生する石板からなるベッド本体と、このベッド本体上に脱着可能に取り付けられるドームとを備え、前記ベッド本体の上面で長さ方向一側にスチーム発生器に接続されたノズルが配置されている。
【０００６】
温浴装置に入浴するときには、ベッド本体上にドームが装着されて、このドーム内のベッド本体上に入浴者が横たわる。そして、この入浴者に対しベッド本体から発生する遠赤外線が照射され、これと同時にドーム内にスチーム発生器のノズルからスチームが噴き出される。これにより、入浴者には十分な発汗作用が促されて美容と健康増進効果が得られる。
【０００７】
本発明の好ましい実施形態では、前記ベッド本体を加熱するヒータが設けられている。この構成によれば、簡単な構成でベッド本体から遠赤外線を発生させられる。
【０００８】
また、好ましい実施形態では、前記スチーム発生器のノズルからハーブスチームが噴き出される。この構成によれば、ハーブスチームにより癒し効果が得られ、またハーブスチームによるリラックス感や心地良い発汗作用が一層促進される。
【発明の効果】
【０００９】
以上の本発明の温浴装置によれば、入浴者に対し十分な発汗作用を効果的に及ぼして美容と健康増進に寄与することができる。
【発明を実施するための最良の形態】
【００１０】
以下、本発明にかかる温浴装置を図面に基づいて説明する。
図１は本発明にかかる温浴装置の一実施形態を示す側面図、図２は同平面図、図３は同背面図である。この温浴装置は、ベッド１と、その上部に脱着可能に取り付けられるドーム２とからなる。このベッド１は、人の身長よりやや長い矩形状とされた加熱により遠赤外線を発生する石材からなるベッド本体１１と、その下面側に接合一体化されたステンレスなどのフレーム１２とからなり、このフレーム１２の下面でベッド１上に横たわる入浴者Ｐの頭部側と足元側に、フレーム１２と直交状に横枠１３がそれぞれ取り付けられ、これら各横枠１３の左右両側にそれぞれ高さ調整可能とされた合計４本の支持脚１４が設けられている。
【００１１】
また、図の実施形態では、前記ベッド本体１１の上面で横たわる入浴者Ｐの背中及び臀部が接触する部分と脚の脹脛が接触する部分とに、それぞれ前記ベッド本体１１とは異なる遠赤外線を出力する概略矩形状をなす大小の石板３１，３２が配置されている。この石板３１，３２としては、例えば前記ベッド本体１１よりも強い遠赤外線を出力するものを用い、これらにより入浴者Ｐの背中、臀部及び脚の脹脛の部分を局部的に積極的に温めるようにする。
【００１２】
前記ドーム２は、断面円弧形状の複数のドーム単体２１からなり、これら単体２１はベッド１上において入浴者Ｐの身長方向にスライドできるように連結されている。前記各ドーム単体２１のうち、ベッド１上に横たわる入浴者Ｐの足元側に位置されるものには側壁２１ａが設けられ、他のものは長さ方向両側が開口されており、入浴者Ｐがベッド本体１上に横たわったとき、前記各ドーム単体２１により内部を密閉状態にして後述するスチームを充満させ得る構成としている。このとき、入浴者Ｐの頭部側に位置するドーム単体２１の開口部分にはタオルなどの布２２が掛けられて内部が閉鎖される。
【００１３】
また、前記ベッド１の後方下部には排水タンク４が設置されており、このタンク４は前記ベッド本体１１の入浴者Ｐの足元側に形成した排水孔４０に排水管４１を介して接続され、前記ベッド本体１上に流れ落ちた入浴者Ｐの汗やドーム２内に噴き出される後述するスチームの凝縮水などを前記排水孔４０から排水管４１を介してタンク４内に排出させる。前記排水孔４０の周囲には、円形状の落ち込み部４０ａが形成されていて、この落ち込み部４０ａを介して前記排水孔４０からの排水をスムーズに行えるようになっている(図４参照)。このとき、前記前後支持脚１４を調整して、前記ベッド本体１１の高さを入浴者Ｐの頭部側が高く足元側が低くなるように設定することにより、前記ベッド本体１１から排水孔４０、排水管４１を経てタンク４への排水を円滑に行える。
【００１４】
さらに、前記ベッド１の後方上部にはスチーム発生器５が配置されていて、このスチーム発生器５のノズル５０ａから噴き出されてドーム２内に充満するスチームにより入浴者Ｐに発汗作用を促す。
【００１５】
図４は図２のＸ−Ｘ線方向から見た拡大断面図である。この図のように、前記ベッド本体１１のフレーム１２の下面側にはシリコンラバーなどの絶縁材で表面を覆ったフラットなヒータ１６が設けられている。図の実施形態では、前記フレーム１２の外周囲端部を断面コ形状に形成して、その内部に前記ヒータ１６と発泡スタイロフォームなどの断熱ボード１７及び底板１８を配置して、前記フレーム１２の下面側には温度センサＳ１が配置され、このセンサＳ1により前記ヒータ１６の温度つまり前記ベッド本体１１の入浴温度を制御する。
【００１６】
さらに、図４のように、前記スチーム発生器５は、スチーム発生器本体５Ａと、これに給水する給水タンク５Ｂとからなり、これら両者は収容室５Ｃ内に収納されている。前記本体５Ａは、蒸発皿５１と、これの上部に設けられた蓋体５２とからなり、これらの外周囲は断熱材５３で覆われている。前記蒸発皿５１の側部には、斜め下方に傾斜状に延びて前記タンク５Ｂからの水Ｗを内部に給水する給水注入パイプ５４が設けられ、また、前記蒸発皿５１の底部裏面にはヒータ５５が配設されていて、このヒータ５５により前記給水注入パイプ５４から蒸発皿５１上に給水された水Ｗを加熱して蒸発気化させる。この蒸気はノズル５０ａからドーム内に放出される。
【００１７】
また、前記蒸発皿５１の内方中間位置にはハーブＨを収納したバスケット５６が設けられ、このバスケット５６内のハーブＨに前記ヒータ５５で加熱気化された蒸気を通過させることにより、ノズル５０ａからハーブスチームを噴き出すようになっている。前記バスケット５６は、網材や多孔板などの多孔質部材で形成される。また、このバスケット５６内に収容するハーブＨとしては、例えばヨモギ、カモミール、ハッカが使用され、これらは血行や発汗促進機能に優れているだけではなく、血液循環の改善や婦人科疾患の治療効果を発揮する。また、ローズレッド、ラベンダーも用いられ、これらは発汗促進機能とともにリラックス効果を発揮する。
【００１８】
また、前記蒸発皿５１のヒータ５５の近くには、温度センサＳ２が配置され、このセンサＳ２により前記ヒータ５５の温度つまり蒸発皿５１からの水分蒸発量が制御される。前記スチーム発生器５Ａの温度センサＳ２及び前記ベッド本体１１の温度センサＳ１は、前記フレーム１２に取り付けた制御盤７内の制御部に接続され、この制御部で各センサＳ１，Ｓ２からの信号に基づき各ヒータ１６，５５を制御するようになっている。
【００１９】
また、前記タンク５Ｂと、その底部に前記蒸発皿５１の給水注入パイプ５４との間に流量調整弁５８と電磁弁５９が取り付けられ、この流量調整弁５８及び電磁弁５９から前記タンク５Ｂ内の水Ｗを給水注入パイプ５４上に滴下させて蒸発皿５１上に給水する。
【００２０】
次に、以上の構成とした温浴装置を使用するときの手順について説明する。先ず、入浴時には、図１のように、ベッド本体１１上に横たわる入浴者Ｐの上にドーム２が装着される。このとき、入浴者Ｐの頭部側に位置するドーム単体２１の開口部分にはタオルなどの布２２が掛けられてドーム内部が密閉空間とされる。このような準備を終えた後、前記ドーム２内のベッド本体１１上に横たわる入浴者Ｐに対し、ヒータ１６の加熱によりベッド本体１１及び大小の石板３１，３２から発生する遠赤外線が照射され、これと同時にドーム２の内部に、スチーム発生器５に接続されるノズル５０ａからスチームが噴き出される。この遠赤外線とスチームによる効果により、十分な発汗作用が促されて入浴者Ｐの健康増進効果が得られる。また、図４のように、前記スチーム発生器５のノズル５０ａからハーブスチームを噴き出すことにより、入浴者Ｐの発汗作用がより促進され、また癒し効果が得られる。
【００２１】
また、入浴を終えた後に前記ベッド本体１１上で入浴者Ｐにマッサージなどを施すときには、図１のようにベッド本体１１からドーム２を、各単体２１を折り畳んだ状態で取り外して、ベッド本体１１の下方空間に収容させる。
【図面の簡単な説明】
【００２２】
【図１】本発明にかかる温浴装置の一実施形態を示す側面図である。
【図２】同平面図である。
【図３】同背面図である。
【図４】図２のＸ−Ｘ線方向から見た拡大断面図である。
【符号の説明】
【００２３】
１１  ベッド本体
１６  ヒータ
２    ドーム
５    スチーム発生器
５０ａ  ノズル
【図１】
2007007141.tif 000003
【図２】
2007007141.tif 000004
【図３】
2007007141.tif 000005
【図４】
2007007141.tif 000006